(57)【要約】【課題】  可撓性のプラスチック締付片の結束バンドを利用して、ケーブル配線工事、配管工事または、エアコンの配管に断熱材を巻き付け作業において、狭く、手が入りにくい場所において、結束バンドの先端が掴めず、結束作業に手間がかかるものである。これらのことを解決して、作業効率の向上をはかるものである。【解決手段】  本発明の前記結束バンドと同程度の細い板状を半月状に形成して、その一端に手が握れるように柄の部分を設ける。そして、半月状の内周面に結束バンドを抱持できるような支持するＬ状を設ける。よって、被結束物に結束バンドの先端部を容易に回してヘッド部に挿入して結束できるものである。【選択図】  図１
2005312281.tif 000002
【特許請求の範囲】
【請求項１】
結束バンドと同程度の細い板状を半月状にして、前記結束バンドを前記半月状の内周面に沿って抱持するように、支持するＬ状を一か所以上設ける。また、前記半月状の一端に柄を形成したことを特徴とする結束バンド取付具。
【請求項２】
前記半月状の内周面の片側にガードを形成したことを特徴とする請求項１記載の結束バンド取付具。
【請求項３】
前記半月状部分の径を変形できる材質で形成したことを特徴とする請求項１、又は２記載の結束バンド取付具。
【発明の詳細な説明】
【技術分野】
【０００１】  本発明は、可撓性のプラスチック締付片の結束バンドを利用して、電気配線や通信ケーブル等に巻き付けたり、ケーブル等を固定物に巻き付ける。あるいは、配管工事において断熱材等を巻付けることが容易にできる結束バンドの取付工具に関する。
【背景技術】
【０００２】  従来、結束バンドを用いて電線、信号、通信ケーブルの配線工事又は、エアコン配管においてドレン管あるいは、配管に断熱材の巻き付けるとき、手が入りにくい狭い部分や、格子状の所にケーブル等を巻付けて取付ける工事において反対側に手が届かない所においては、結束バンドの先端を引き出すことが困難によって工事の手間が掛かることである。
または、配管に断熱材を巻付ける作業において狭く手が入りにくい所では、作業効率の悪いものである。【０００３】  結束バンドを効率よく利用しようとするものに、以下のようなものが公報によって知られている。
従来には、ニッパーに似た形状をしたもので、夫々ハンドル部を有する２個一対の工具本体と、該本隊を相対回動可能にハサミ形に連結する枢軸と、本隊の先端部に夫々設けられたバンド枢軸が利用されている。（例えば特許文献１参照）
また、締付片代用自動銃なるもので、ケーブルのような束のまわりに、可撓性のプラスチック締付片を自動で巻付ける装置がある。（例えば特許文献２参照）
また、結束バンドのバンド部が嵌合される嵌合溝が設けられ、バンド部が嵌合溝に嵌合されたときに結束バンドとともにワイヤハーネスを挾み込むようにして挾持つするＵ字状のアームを有する結束バンド取付け用治具がある。（例えば特許文献３参照）【０００４】
【特許文献１】  特開平７−２４１７８１号公報
【特許文献２】  特開平８−５８７１２号公報
【特許文献３】  特開平１０−１４４１５６号公報
【発明の開示】
【発明が解決しようとする課題】
【０００５】  しかしながら、従来の工具にも下記のような問題がある。
特許文献１、特許文献２において、配線工事、配管工事、断熱巻工事でキヤタツ等を利用して高所の工事には使いずらく、並びに、狭い所では使うことが困難である。
また、これらの工事として利用するには高価なものである。【０００６】  特許文献３において、配線基板上によって結束バンドを利用するものが主であり、携帯として配線工事、配管工事等による工事において手の入りにくい所、狭い場所での結束工事には不向きである。【０００７】  そこで本発明は、上記の課題に鑑み、製品単価を安く提供して、軽量で、使いやすく、どのような狭い所や、手の回らない所でも結束バンドの巻付けによる、配線作業、配管工事または、配管の断熱材の巻き付け作業を容易に進めることができるようにするものである。
【課題を解決するための手段】
【０００８】  上記の課題を解決するため、本発明は結束バンドと同程度の細い板状を半月状に形成して、その一端に握ることのできる柄を設ける。そして、半月状の内周面に結束バンドを抱かせるように、支持するＬ状を設けることで、可撓性のプラスチック締付片の結束バンドの弾力性を利用して内周面に抱持して利用することを特徴とする。【０００９】  また、半月状の内周面の一片を内側方向に斜状のガードを形成して、その内周面に結束バンドを抱かせることで、結束するまで反対側にずれて外れないように維持できるようにしたことを特徴とする。【００１０】  また、半月状の径状を変化できる材質を形成することで、作業現場の状況によって結束バンドの結束作業を容易におこなうことを特徴とする。
【発明の効果】
【００１１】  本発明は、以上説明したように構成されているので、以下に記載されているような効果を奏する。【００１２】  請求項１の結束バンド取付具を用いて、可撓性のプラスチック締付片の結束バンドをケーブル工事でケーブルを固定物に結束する配線工事で、手が回らず結束バンドの先端が取りずらい所、また配管工事で配管どうしの結束、過密なエアコン内の配管に断熱材に巻く作業等が容易にできるものである。
また、製品コストも安くでき経済性にも優れているものである。【００１３】  請求項２の結束バンド取付具を用いて、請求項１と同様の作業をおこなうとき、結束バンドが内周面より外れにくいものである。
そして、結束後は簡単に外せることから効率のよい作業ができるものである。【００１４】  請求項３記載の発明によれば、半月状の径を被結束物の形状に合せるように変形できることから、様々な結束バンドの作業に対応できることで、作業効率の向上をはかるものである。
【発明を実施するための最良の形態】
【００１５】  本発明の実施の形態について図面を参照して説明する。
図１〜図６を参照して、本発明に係る結束バンド取付具の第一実施例の図である。
図１は本案の全体の斜視図である。可撓性のプラスチック締付片である結束バンド８の幅（一般に３ｍｍ〜６ｍｍ）と同程度の幅の９ｍｍ程度、全長の２０ｃｍ程度で薄い銅板等の金属板、プラスチックあるいは、アクリル等の材質を、半月状２にしてその一端を柄３の成型して、柄３と対抗した先端部５に凹状の溝６を有し、半月状２の内周面７の所々に支持するＬ状４を取付けて結束バンド８を係止するように設ける。【００１６】  前記結束バンド取付具１に結束バンド８を抱持するには、図２、図３の示すように、結束バンド８の先端部１１付近を取付具の先端の凹状内に納めて半月状２の内周面７に沿って凸状４の下に入れる。よって、結束バンド８は結束バンド取付具１に抱持つしたように半固定じように収まる。そして、結束バンド８の長さによって、ヘッド部１０が半月状２の端付近であれば指で押えながら柄３を握る。また、長くヘッド部１０が柄３までの長さであれば、取手３と共に握り結束作業をする。【００１７】  したがって、実施の一例として図４、図５に示すように、狭い林立した被結束物の支持柱１２にケーブル１３を結束バンド８によって連続に結束作業のとき、結束バンド８の先端部１１を掴むことができないときでも容易に回すことで先端部１１をヘッド部１０に挿入する。ここで、結束バンド取付具１と結束バンド８を離して結束バンド８を締める。この動作を連続的に進めてゆくものである。その結果、効率のよい作業ができる。【００１８】  また、図６〜図８は第２実施例を示すもので、図６は全体の斜視図である。
半月状２Ａの内周面７Ａの片側にガード１４を形成する。前記ガード１４は図７、図８に示すように内周面７Ａの底辺との角度θは９０≧θ≧２０に設けることである。【００１９】  その結果、納めた結束バンド８が内周面４Ａよりずれ難くするもので、いま、角度θ＜９０にすると、さらに抱持することが増すものである。さらに、結束バンド８を内周面７Ａ納めやすくるものである。【００２０】  また、図９〜図１０は第３実施例を示すもので、半月状２ｂを構成する材質を銅のような金属によって製作することで、半月状２Ｂの部分が柔軟であることから容易に径を変えることができる。【００２１】  なお、半月状２Ｃ内周面７Ｃの片側のガード１５を図１１に示すように、間隔をつけて設けることで径を変えることが容易にできる。
したがって、被結束物の大きさや、作業現場にあわせて変形できることで、作業がしやすくなるものである。
【図面の簡単な説明】
【００２２】
【図１】  本発明の第一実施例を示す斜視図である。
【図２】  １図の側面図である。
【図３】  １図におけるＡ−Ａ位置の凹状溝の拡大斜視図である。
【図４】  １図のＢ−Ｂ位置の支持するＬ状の拡大した斜視図である。
【図５】  結束バンド取付具の利用状態を示す図である。
【図６】  結束バンド取付具を結束バンドより外した状態の図である。
【図７】  本発明の第二実施例を示す側面図である。
【図８】  図７のＣ−Ｃの断面図で、ガードと内周面θ＝９０°の図である。
【図９】  図７のＣ−Ｃの断面図で、ガードと内周面θ＝３０°の図である。
【図１０】  本発明の第三実施例を示す一例の側面図で、点線は形状を変えた図である。
【図１１】  本発明の第三実施例を示す二例の間欠ガードを設けた側面図である。
【符号の説明】
【００２３】１、１Ａ、１Ｂ、１Ｃは結束バンド取付具        ２、２Ａ、２Ｂ、２Ｃは半月状
３、３Ａ、３Ｂ、３Ｃは柄                      ４、４Ａ、４Ｂ、４Ｃは支持するＬ状
５、５Ａ、５Ｂ、５Ｃは取付具の先端            ６、６Ａ、６Ｂは凹状の溝
７、７Ａ、７Ｂ、７Ｃは内周面                  ８は結束バンド
９は歯                                        １０はヘッド
１１は結束バンドの先端                        １２は支持柱
１３はケーブル                                １４はガード
１５は間欠状のガード
【図１】
2005312281.tif 000003
【図２】
2005312281.tif 000004
【図３】
2005312281.tif 000005
【図４】
2005312281.tif 000006
【図５】
2005312281.tif 000007
【図６】
2005312281.tif 000008
【図７】
2005312281.tif 000009
【図８】
2005312281.tif 000010
【図９】
2005312281.tif 000011
【図１０】
2005312281.tif 000012
【図１１】
2005312281.tif 000013